(57)【要約】【課題】太陽電池モジュールの種類と配置する位置とに関連する設計情報を蓄積し、必要に応じて抽出して設計の支援を行うことができるようにする。【解決手段】設計情報記憶手段１０４には、配置する太陽電池モジュールの種類と配置する位置とを備える情報であるモジュール配置パターンを備える設計情報が記憶される。設計情報抽出手段１０３は、設計情報記憶手段１０４から、太陽電池モジュールを配置する配置面の形状を表す配置面情報１０１と、設置工法、発電力など、設計する太陽電池モジュールアレイまたは太陽光発電設備に要求する仕様である要求仕様１０２とを用いて、要求仕様を満たしかつ配置面情報が表す配置面に配置可能なモジュール配置パターンを備える設計情報を抽出する。【選択図】　　　図１
2004013625.tif 000002
【特許請求の範囲】
【請求項１】
太陽電池モジュールの種類と配置する位置とを備えるモジュール配置パターンを含む設計情報から、
太陽光発電設備に要求される仕様を満たし、
かつ配置面情報が表す配置面の形状に配置可能な太陽電池モジュール配置パターンを備える設計情報を抽出して、
太陽光発電設備の設計を支援することを特徴とする太陽光発電設備の設計支援方法。
【請求項２】
前記設計情報が複数抽出されるときに、該複数の設計情報から一つの設計情報を選択する設計情報選択工程を備えることを特徴とする請求項１記載の太陽光発電設備の設計支援方法。
【請求項３】
前記抽出する設計情報に含まれるモジュール配置パターンが備える配置についての情報を、前記配置面情報が表す配置面に対する配置位置に定義付けて、パターン・配置面座標変換情報を作成するパターン・配置面座標変換情報作成工程を、さらに含むことを特徴とする請求項１または２記載の太陽光発電設備の設計支援方法。
【請求項４】
前記抽出する設計情報に含まれるモジュール配置パターンを修正するモジュール配置パターン修正工程を、さらに含むことを特徴とする請求項１または２記載の太陽光発電設備の設計支援方法。
【請求項５】
前記設計情報には、太陽電池モジュール以外の部材の配置に関する情報である部材配置情報が含まれ、
前記抽出する設計情報が備える部材配置情報を用いて太陽光発電設備での部材の配置に関する情報を作成する部材配置情報作成工程を、さらに含むことを特徴とする請求項１〜４のいずれかに記載の太陽光発電設備の設計支援方法。
【請求項６】
前記設計情報には、配線に関する情報である電気配線情報が含まれ、
前記抽出する設計情報が備える電気配線情報を用いて、太陽光発電設備での電気配線に関する情報を作成する電気配線情報作成工程を、さらに含むことを特徴とする請求項１〜５のいずれかに記載の太陽光発電設備の設計支援方法。
【請求項７】
前記設計情報は、作成した設計情報をデータベース化して記憶しておくことを特徴とする請求項１〜６のいずれかに記載の太陽光発電設備の設計支援方法。
【請求項８】
コンピュータに、請求項１〜７のいずれかに記載の太陽光発電設備の設計支援方法を実行させるためのプログラム。
【請求項９】
コンピュータに読込ませて、請求項１〜７のいずれかに記載の太陽光発電設備の設計支援方法を、
実行させるためのプログラムが記録されるコンピュータ読取り可能な記録媒体。
【請求項１０】
太陽電池モジュールの種類と配置する位置とを備えるモジュール配置パターンを含む設計情報を記憶しておく設計情報記憶手段と、
太陽光発電設備に要求される仕様が入力される要求仕様入力手段と、
太陽電池モジュールを配置する配置面の形状を表す配置面情報が入力される配置面情報入力手段と、
設計情報記憶手段に記憶されている設計情報から、要求仕様入力手段に入力される要求仕様を満たし、配置面情報入力手段に入力される配置面情報が表す配置面の形状に配置可能な太陽電池モジュール配置パターンを備える設計情報を抽出して、太陽光発電設備の設計を支援する設計情報抽出手段とを含むことを特徴とする太陽光発電設備の設計支援装置。
【発明の詳細な説明】
【０００１】
【発明の属する技術分野】
本発明は、太陽電池モジュールなどを含む太陽光発電設備の設計支援方法および装置に関する。
【０００２】
【従来の技術】
従来から、太陽電池をモジュール化して建築物の屋根などに設置し、太陽エネルギを有効に利用して発電する太陽光発電設備が普及しつつある。太陽電池モジュールは、種々の仕様で工場生産され、個々の建築物に設置工事で取付けられる。太陽電池モジュールを個々の建築物に設置する際には、種々の条件や要求を満たすように設計を行う必要がある。
【０００３】
太陽電池モジュールを住宅の屋根等に配置するための太陽光発電設備の設計を支援する方法についての先行技術としては、特開２０００−２９９２６号公報に記載の太陽光発電システム設計支援方法を挙げることができる。この先行技術に開示されている方法では、太陽電池モジュールの形態を表わす情報と、該太陽電池モジュールの配置対象となる面の形態を表わす情報と、太陽電池の配置条件を表わす情報とを取得し、取得した情報に基づいて、配置対象の領域内に太陽電池モジュールを配置するための配置情報を算出し、該配置情報算出手段で算出された配置情報を出力する。
【０００４】
【本発明が解決しようとする課題】
特開２０００−２９９２６号公報に開示されている方法は、わずか１通りの配置アルゴリズム、すなわち「定められた規則に従い、」配置情報を算出するものでしかない。実際の配置情報の算出では、注文主からの予期せぬ注文、特殊な建材の使用、前記規則では対応不可能な特種な配置面の形状など、わずか１通りの定められた規則に従うだけでは十分に対応できない場合が多々あり、そのような場合、その規則を用いることができずに、設計者が一つ一つの太陽電池モジュールを配置する配置情報を作成するか、または定められた規則に従って、配置情報を算出してから、別途、設計者が配置情報を修正する等の方法がとられている。
【０００５】
また、前述のような方法では、一度、以前に設計している太陽電池モジュールの配置対象となる面の形態等の条件と類似する条件に基づく設計を、何回も繰返して行なうことがよくある。このような場合、以前に設計している配置情報を修正することによって、配置情報を作成すれば、新たに一から配置情報を作成するよりはるかに少ない手間で設計することができる。また、設計した配置情報は、設計のための知識のつまった設計の具体例であり、知識の蓄積および、伝達のための手段としても用いることができる。
【０００６】
しかしながら、設計数や設計者が多く、かつ、情報の共有がなされていない場合、要求される設計の条件と類似する条件に基づく設計情報を選び出すのは容易なことではなく、実際には、新たに配置情報を作成することが多く、重複する無駄な作業を多く行なっている。また、知識の共有や伝達が十分になされないため、過去の設計実績が個々の設計者の技術の向上に結び付いていない。
【０００７】
本発明では、上記の問題を鑑み、太陽電池モジュールの種類と配置する位置とに関連する設計情報を蓄積し、必要に応じて抽出して設計の支援を行うことができる太陽光発電設備の設計支援方法および装置提供することを目的とする。
【０００８】
【課題を解決するための手段】
本発明は、太陽電池モジュールの種類と配置する位置とを備えるモジュール配置パターンを含む設計情報から、
太陽光発電設備に要求される仕様を満たし、
かつ配置面情報が表す配置面の形状に配置可能な太陽電池モジュール配置パターンを備える設計情報を抽出して、
太陽光発電設備の設計を支援することを特徴とする太陽光発電設備の設計支援方法である。
【０００９】
本発明に従えば、太陽光発電設備の設計を支援するために、太陽電池モジュールの種類と配置する位置とを備えるモジュール配置パターンを備える設計情報を、モジュール配置パターンとして記憶しておくので、記憶されている設計情報を抽出して利用することができる。設計情報の抽出は、要求仕様を満たし、かつ配置面情報が表す配置面に配置可能な条件で抽出するので、要求仕様や配置可能な必要条件を満たす設計情報を有効に利用して、設計の効率化を図ることができる。
【００１０】
また本発明で、前記設計情報が複数抽出されるときに、該複数の設計情報から一つの設計情報を選択する設計情報選択工程を備えることを特徴とする。
【００１１】
本発明に従えば、複数の設計情報が抽出されれば、設計情報選択工程で一つの設計情報を選択するので、一つに絞って設計の支援を行うことができる。
【００１２】
また本発明は、前記抽出する設計情報に含まれるモジュール配置パターンが備える配置についての情報を、前記配置面情報が表す配置面に対する配置位置に定義付けて、パターン・配置面座標変換情報を作成するパターン・配置面座標変換情報作成工程を、さらに含むことを特徴とする。
【００１３】
本発明に従えば、パターン・配置面座標変換情報作成工程で、抽出される設計情報に含まれるモジュール配置パターンが備える配置情報を、配置面情報が表す配置面に対する配置位置に定義付けて、パターン・配置面座標変換情報を作成するので、太陽電池モジュールを配置面の任意の位置に配置するための設計を容易に行うことができる。
【００１４】
また本発明は、前記抽出する設計情報に含まれるモジュール配置パターンを修正するモジュール配置パターン修正工程を、さらに含むことを特徴とする。
【００１５】
本発明に従えば、モジュール配置パターン修正工程で、設計情報抽出工程で抽出する設計情報に含まれるモジュール配置パターンを修正するので、目的に合った設計情報を作成することができる。
【００１６】
また本発明で、前記設計情報には、太陽電池モジュール以外の部材の配置に関する情報である部材配置情報が含まれ、
前記抽出する設計情報が備える部材配置情報を用いて太陽光発電設備での部材の配置に関する情報を作成する部材配置情報作成工程を、さらに含むことを特徴とする。
【００１７】
本発明に従えば、部材配置情報作成工程で、太陽電池モジュール以外の部材の配置に関する情報である部材配置情報を、抽出する設計情報が備える部材配置情報を用いて作成するので、容易に太陽光発電設備の部材配置情報を作成することができる。
【００１８】
また本発明は、前記設計情報には、配線に関する情報である電気配線情報が含まれ、
前記抽出する設計情報が備える電気配線情報を用いて、太陽光発電設備での電気配線に関する情報を作成する電気配線情報作成工程を、さらに含むことを特徴とする。
【００１９】
本発明に従えば、電気配線情報作成工程で、配線に関する情報である電気配線情報を、抽出する設計情報が備える電気配線情報を用いて作成するので、容易に太陽光発電設備の電気配線情報を作成することができる。
【００２０】
また本発明で、前記設計情報は、作成した設計情報をデータベース化して記憶しておくことを特徴とする。
【００２１】
本発明に従えば、作成した設計情報を登録して記憶するので、設計支援を受けて作成される設計情報を登録して記憶し、データベース化して蓄積して、設計情報を充実させることができる。
【００２２】
さらに本発明は、コンピュータに、前述のいずれかに記載の太陽光発電設備の設計支援方法を実行させるためのプログラムである。
【００２３】
本発明に従えば、コンピュータを用いて、太陽電池モジュールを使用して太陽光発電設備を設計する際に、蓄積されている技術情報を有効に利用するように支援を行うことができる。
【００２４】
さらに本発明は、コンピュータに読込ませて、前述のいずれかに記載の太陽光発電設備の設計支援方法を、
実行させるためのプログラムが記録されるコンピュータ読取り可能な記録媒体である。
【００２５】
本発明に従えば、コンピュータにプログラムを読込ませて、太陽電池モジュールを使用して太陽光発電設備を設計する際に、蓄積されている技術情報を有効に利用するように支援を行うことができる。
【００２６】
さらに本発明は、太陽電池モジュールの種類と配置する位置とを備えるモジュール配置パターンを含む設計情報を記憶しておく設計情報記憶手段と、
太陽光発電設備に要求される仕様が入力される要求仕様入力手段と、
太陽電池モジュールを配置する配置面の形状を表す配置面情報が入力される配置面情報入力手段と、
設計情報記憶手段に記憶されている設計情報から、要求仕様入力手段に入力される要求仕様を満たし、配置面情報入力手段に入力される配置面情報が表す配置面の形状に配置可能な太陽電池モジュール配置パターンを備える設計情報を抽出して、太陽光発電設備の設計を支援する設計情報抽出手段とを含むことを特徴とする太陽光発電設備の設計支援装置である。
【００２７】
本発明に従えば、太陽光発電設備の設計支援装置は、設計情報記憶手段と、配置面情報入力手段と、要求仕様入力手段と、設計情報抽出手段とを含む。設計情報記憶手段は、太陽電池モジュールの種類と配置する位置とに関連する設計情報を、モジュール配置パターンとして記憶しておくので、記憶されている設計情報を検索して利用することができる。配置面入力手段には、太陽電池モジュールを配置する配置面の形状を表す配置面情報が入力されるので、実際に太陽電池モジュールを配置する対象となる配置面の形状を知り、設計に反映させることができる。要求仕様入力手段には、設置工法および発電力を含み、設計する太陽光発電設備に要求される仕様である要求仕様が入力されるので、太陽光発電設備に要求される仕様を設計に反映させることができる。設計情報抽出手段は、モジュール配置パターンから、要求入力手段に入力される要求仕様を満たし、かつ配置面情報入力手段に入力される配置面情報が表す配置面に配置可能な設計情報を抽出するので、要求仕様や配置可能な必要条件を満たす設計情報を有効に利用して、設計の効率化を図ることができる。
【００２８】
【発明の実施の形態】
以下、本発明の実施の一形態である太陽光発電設備の設計支援方法および装置を説明する。本実施の形態である太陽光発電設備の設計支援装置は、要求仕様を満たしかつ、配置面情報が表す配置面に配置可能な太陽光発電設備を設計するために必要な設計情報を出力する装置である。このような装置は、専用の装置として構成することもできるけれども、パーソナルコンピュータやワークステーションなどの汎用のコンピュータに、プログラムを読込ませて実現することもできる。読込ませるプログラムは、光ディスクや磁気ディスクなどの記録媒体に記録させておいて読込ませたり、外部から情報通信で転送して読込ませたりすることができる。
【００２９】
図１は、本発明の実施の一形態としての太陽光発電設備設計支援装置１００の概略的なシステム構成を示す。本実施形態の太陽光発電設備設計支援装置１００は、配置面情報１０１および要求仕様１０２が入力される設計情報抽出手段１０３と、設計情報記憶手段１０４と、設計情報選択手段１０５と、パターン・配置面座標変換情報作成手段１０６と、モジュール配置パターン作成手段１０７と、モジュール配置パターン修正手段１０８と、電気配線情報作成手段１０９と、部材配置情報作成手段１１０と、設計情報出力手段１１１と、設計情報登録手段１１２とを備える。
【００３０】
図１に示す要求仕様１０２とは、本発明が設計支援対象とする太陽光発電アレイまたは太陽光発電設備に対して要求する条件を表す情報であり、設計情報の一部分である。設計情報記憶手段１０４は、設計情報を記憶するデータベースである。本実施の形態において、設計情報とは、モジュール配置パターンを備える情報である。また、配置面情報や部材配置情報や電気配線情報を備えていてもよい。
【００３１】
なお、「モジュール配置パターン」は、配置する太陽電池モジュールの種類と配置する位置を備える情報である。配置する位置は、各太陽電池モジュール間の相対的な位置である。具体的には、仮に定めた座標系であるパターン座標系における座標として定義する。また設置工法についての情報を備えていてもよい。また太陽電池モジュールの発電力の合計を示す情報を含んでいてもよい。ここで設置工法は、太陽電池モジュールを設置するための工法である。
【００３２】
「配置面情報」とは、屋根面等のモジュールを配置する配置面の形状を備える情報である。また、配置面の勾配やパターン・配置面座標変換情報を備えていてもよい。
【００３３】
「パターン・配置面座標変換情報」とは、前述のパターン座標系と配置面との位置関係を表す情報である。具体的には、１つの２次元ベクトル等、座標変換を規定する情報として構成する。
【００３４】
「部材配置情報」とは、部材の配置に関する情報である。「部材」とは、太陽光発電設備を構成する部材であって、太陽電池モジュール以外の部材、たとえば、架台を構成する部材、ダミーモジュール、化粧カバー等である。「部材の配置」には、部材の種類、配置する位置を少なくとも備え、さらに部材間の接続、接合に関する情報を含んでいてもよい。
【００３５】
「電気配線情報」とは、各太陽電池モジュール間の配線、すなわち電気的接続に関する情報である。また、太陽電池モジュールとパワーコンディショナとの配線に関する接続、パワーコンディショナの種類、数等を備えていてもよい。
【００３６】
図２は、設計情報の構造を、ＵＭＬ（Ｕｎｉｆｉｅｄ　Ｍｏｄｅｌｉｎｇ　Ｌａｎｇｕａｇｅ）クラス図によるモデリングに従って示す。このクラス図は、要素となる概念であるクラスとして、「モジュール配置パターン」、「屋根置き型太陽電池モジュール」、「屋根材一体型太陽電池モジュール」、「配置面」、「モジュール配置領域」、「部材配置情報」、「モジュール」、「屋根」、「電気配線情報」、「パワーコンディショナ」、および「系統情報」を含む。「モジュール配置パターン」のクラスは、「電気出力」の属性を有する。「屋根置き型太陽電池モジュール」のクラスは、「モジュールタイプ設置工法」の属性を有する。「屋根材一体型太陽電池モジュール」のクラスは、「モジュールタイプ適用屋根材」の属性を有する。「配置面」のクラスは、「屋根面外形形状」、「向き」および「勾配」の属性を有する。「モジュール配置領域」のクラスは、「配置領域外形形状」の属性を有する。「部材配置情報」のクラスは、「部材種類」、「配置座標」および「角度」の属性を有する。「モジュール」のクラスは、「型名」、「配置座標」および「角度」の属性を有する。「パワーコンディショナ」のクラスは、「型名」および「変換効率」の属性を有する。「系統情報」のクラスは、「電気出力」の属性を有する。
【００３７】
「モジュール配置パターン」クラスは、「屋根置き型太陽電池モジュール」クラスと「屋根材一体型太陽電池モジュール」クラスとに汎化（ｇｅｎｅｒａｌｉｚａｔｉｏｎ）関連で結びつけられているので、太陽電池モジュールは屋根置き型と屋根材一体型とのいずれを選択することもできる。また、「モジュール配置パターン」クラスは、「配置面」クラスと関連している。「配置面」クラスは、「モジュール配置領域」クラスから構成され、「屋根」クラスの一部となっている。すなわち、「屋根」クラスは、「配置面」クラスを含む。「モジュール配置領域」クラスは、「部材配置情報」クラス、「モジュール」クラスおよび「系統情報」クラスを含む。「屋根」クラスは、「電気配線情報」クラスと関連している。「電気配線情報」クラスは、「パワーコンディショナ」クラスを含む。「パワーコンディショナ」クラスは、「系統情報」クラスを含む。「系統情報」クラスは、同様に「モジュール配置領域」クラスの一部となっている「モジュール」クラスを含んでいる。
【００３８】
図３は、要求仕様１０２を入力する要求仕様入力手段としてのユーザーインターフェースの例を示す。設計者は、ＧＵＩ（Ｇｒａｐｈｉｃａｌ　Ｕｓｅｒ　Ｉｎｔｅｒｆａｃｅ）の案内画面に従って電気出力の数値を入力したり、屋根置き型か屋根材一体型かのいずれかをタブで選択したり、設置工法やモジュールの種類を表示されているものの中から選択して、要求仕様を入力することができる。図１の配置面情報１０１も同様にして入力することができる。
【００３９】
図４は、本発明の実施の一形態である太陽光発電設備設計支援装置１００の動作フローを示す。ステップＳ０から動作を開始し、ステップＳ１では、設計情報抽出工程として、図１に示す設計情報抽出手段１０３が、配置面情報１０１と要求仕様１０２との条件に合致する設計情報を、設計情報記憶手段１０４から抽出する。抽出の方法としては、設計情報記憶手段１０４に蓄積されている設計情報中から、要求仕様１０２を満たす設計情報を抽出し、さらにその中から配置面情報１０１が表す配置面に設置可能なもの（収まるもの）を抽出する等の方法がある。ステップＳ２では、ステップＳ１で２つ以上の設計情報が抽出されているか否かを判断する。２つ以上の設計情報が抽出されていると判断される場合、ステップＳ３へ進む。ステップＳ３では、設計情報選択工程として、設計情報選択手段１０５が任意に一つの設計情報を選択する。ステップＳ３が終了するとステップＳ５に進む。
【００４０】
ステップＳ２で２つ以上の設計情報が２以上抽出されないときは、ステップＳ４に進む。ステップＳ４では、１つのモジュール配置パターンが抽出されているか否かを判断する。１つのモジュール配置パターンが抽出されているときは、ステップＳ５に進み、１つのモジュール配置パターンが抽出されていない、すなわち０個のモジュール配置パターンが抽出されているときは、ステップＳ６に進む。
【００４１】
ステップＳ５は、パターン・配置面座標変換情報作成工程である。設計情報が備えるモジュール配置パターンは、各太陽電池モジュール間の相対的な位置関係であって、配置面情報１０１が備える配置面に対する配置情報ではない。本工程では、パターン・配置面座標変換情報作成手段１０６が前記配置面の座標とモジュール配置パターンの座標とを関連付ける情報であるパターン・配置面座標変換情報を作成する。ステップＳ５が終了するとステップＳ７に進む。
【００４２】
ステップＳ６では、モジュール配置パターン作成工程として、モジュール配置パターン作成手段１０７は新規にモジュール配置パターンを作成する。モジュール配置パターンは、モジュールを１つも配置しないことを表すブランクパターン、または、あらかじめ定められたモジュール配置パターンであるデフォルトパターン、または、あらかじめ定められた配置ルールに基づいて作成したオートパターンのいずれかである。また、同時にあらかじめ定められたパターン・配置面座標変換情報を作成してもよい。ステップＳ６が終了するとステップＳ７に進む。
【００４３】
ステップＳ７では、モジュール配置パターン修正工程として、モジュール配置パターンを修正する必要がある場合は、モジュール配置設計手段１０８がモジュールの配置の一部修正を行なう。モジュール配置パターンの修正とは、モジュールを任意の位置に配置することを表す情報を追加するモジュール追加工程、モジュール配置パターンが備える配置位置を変更する配置位置変更工程、モジュールを配置する情報を削除する削除工程のうち、少なくとも一つを含む。
【００４４】
次にステップＳ８に進み、電気配線情報作成工程として、電気配線情報作成手段１０９が電気配線情報を作成する。また、使用するパワーコンディショナを決定する。本工程においては、設計情報が備える電気配線情報を用いてもよい。
【００４５】
次にステップＳ９に進み、部材配置情報作成工程として、部材配置情報作成手段１１０が部材配置情報を作成する。本工程においては、設計情報が備える部材配置情報を用いてもよい。
【００４６】
次にステップＳ１０に進み、設計情報出力工程として、設計情報出力手段１１１がモジュール配置パターンと電気配線情報と部材配置情報とを備える設計情報を出力する。
【００４７】
次にステップＳ１１へ進み、設計情報登録工程として、設計情報登録手段１１２がモジュール配置パターンと電気配線情報と部材配置情報とを備える設計情報を設計情報記憶手段１０４に登録する。ステップＳ１２で動作を終了する。このようにして、設計情報を作成しながら蓄積していくことができる。なお、最初は、実際の設計情報ではなく、代表的な条件を想定してモデル的な設計情報を用意しておくこともできる。
【００４８】
設計情報記憶手段１０４や設計情報登録手段１１２は、データベースサーバとして、太陽光発電設備設計支援装置１００の本体部分とは別に設置することもできる。また、そのようなデータベースは、イントラネットやインターネットなどの情報通信ネットワーク上に開設して、多くの利用者に設計情報を提供しながら、設計情報の蓄積を図るようにすることもできる。
【００４９】
【発明の効果】
以上のように本発明によれば、太陽電池モジュールの種類と配置する位置とを備えるモジュール配置パターンを備える設計情報を記憶しておき、要求仕様を満たし、かつ配置面情報が表す配置面に配置可能なように抽出するので、記憶されている設計情報を有効に利用して、設計の効率化を図ることができる。
【００５０】
また本発明によれば、複数の設計情報が抽出されれば、一つの設計情報を選択して、設計の支援を行うことができる。
【００５１】
また本発明によれば、抽出される設計情報に含まれるモジュール配置パターンが備える配置情報を、配置位置に定義付けるパターン・配置面座標変換情報を作成するので、太陽電池モジュールを配置面の任意の位置に配置するための設計を容易に行うことができる。
【００５２】
また本発明によれば、抽出する設計情報に含まれるモジュール配置パターンを修正するので、目的に合った設計情報を作成することができる。
【００５３】
また本発明によれば、太陽電池モジュール以外の部材についても、容易に部材配置情報を作成することができる。
【００５４】
また本発明によれば、配線に関する情報である電気配線情報を、容易に作成することができる。
【００５５】
また本発明によれば、作成した設計情報を記憶し、データベース化して、設計情報を充実させることができる。
【００５６】
さらに本発明によれば、コンピュータを用いて、太陽光モジュールを使用して太陽光発電設備を設計する際に、蓄積されている技術情報を有効に利用するように支援を行うことができる。
【００５７】
さらに本発明によれば、コンピュータにプログラムを読込ませて、太陽光モジュールを使用して太陽光発電設備を設計する際に、蓄積されている技術情報を有効に利用するように支援を行うことができる。
【００５８】
さらに本発明によれば、太陽電池モジュールの種類と配置する位置とを備えるモジュール配置パターンを備える設計情報をデータベース化して記憶しておき、要求仕様を満たし、かつ配置面に配置可能な条件で抽出するので、蓄積されている中から必要な設計情報を選び、設計の効率化を図ることができる。
【図面の簡単な説明】
【図１】本発明の実施の一形態である太陽光発電設備設計支援装置１００の概略的な構成を示すブロック図である。
【図２】図１の設計情報記憶手段１０４に記憶される設計情報の構造をＵＭＬクラス図形式で示す図である。
【図３】図１の要求仕様１０２を入力するユーザーインターフェースの画像の例を表す図である。
【図４】図１の太陽光発電設備設計支援装置１００の動作を示すフローチャートである。
【符号の説明】
１００　太陽光発電設備設計支援装置
１０１　配置面情報
１０２　要求仕様
１０３　設計情報抽出手段
１０４　設計情報記憶手段
１０５　設計情報選択手段
１０６　パターン・配置面座標変換情報作成手段
１０７　モジュール配置パターン作成手段
１０８　モジュール配置パターン修正手段
１０９　電気配線情報作成手段
１１０　部材配置情報作成設計手段
１１１　設計情報出力手段
１１２　設計情報登録手段
【図１】
2004013625.tif 000003
【図２】
2004013625.tif 000004
【図３】
2004013625.tif 000005
【図４】
2004013625.tif 000006